(57)【要約】【課題】  浮遊物を滞りなく捕捉し、捕捉した浮遊物を効率良く外してスムーズに排出路へ移送排出することができる新規の浮遊物除去装置を提供する。【解決手段】  エンドレス回転を行うことで水中の浮遊物を捕捉すると共に該捕捉浮遊物を水面より上になる位置に搬送するネット等よりなる主除去用回転柵と、該主除去用回転柵が捕捉した捕捉浮遊物を受け取ってこれを排出路に送る受け台と、上記主除去用回転柵と協働して捕捉浮遊物を持ち上げて受け台の上に移し載せる補助持ち上げ装置と、除去用回転柵に引っ掛かったまま外れずに受け台より上に上がってしまった捕捉浮遊物を受け台上に落す水噴射装置と、受け台に捕捉浮遊物の細断用水噴射装置を備えてなることを特徴とする。【選択図】        図２
2008038592.tif 000002
【特許請求の範囲】
【請求項１】
エンドレスの回転を行うことで水中の浮遊物を捕捉すると共に該捕捉浮遊物を水面より上になる位置に搬送する主除去用回転柵と、該主除去用回転柵が捕捉した捕捉浮遊物を受け取ってこれを排出路に送る受け台と、を備えたことを特徴とする浮遊物除去装置。
【請求項２】
上記主除去用回転柵と協働で捕捉浮遊物を持ち上げて受け台の上に移し載せる補助持ち上げ装置を備えたことを特徴とする請求項１記載の浮遊物除去装置。
【請求項３】
除去用回転柵に引っ掛かったまま外れずに受け台より上に上がってしまった捕捉浮遊物を受け台上に落す水噴射装置を備えたことを特徴とする請求項１または２記載の浮遊物除去装置。
【請求項４】
受け台に捕捉浮遊物の細断用水噴射装置を設けたことを特徴とする請求項１〜３のいずれか一つの請求項記載の浮遊物除去装置。
【請求項５】
前記細断用水噴射装置が、細断用水の噴射と停止を制御するよう設定された制御手段を備えてなることを特徴とする請求項４記載の浮遊物除去装置。
【請求項６】
前記細断用水噴射装置に設けられた細断用水の噴射面が複数の区画に区分されており、前記制御手段が区分された単一もしくは複数の区画を制御単位として細断用水の噴射と停止を制御するよう設定されていることを特徴とする請求項５記載の浮遊物除去装置。
【請求項７】
前記制御手段が、前記捕捉浮遊物の存在を感知するセンサーと、前記細断用水噴射装置へ細断用水を供給する送水路に介設された電磁弁と、前記センサーの感知信号に基づいて前記電磁弁を通電開放すると共に、事前に設定された時間の経過もしくは前記センサーの感知対象の消失をもって前記電磁弁を閉鎖するよう設定された制御回路とからなることを特徴とする請求項５または６記載の浮遊物除去装置。
【発明の詳細な説明】
【技術分野】
【０００１】
本発明は、発電所や工場等で使用される冷却水の取水口近傍に浮遊する大型クラゲや木片、排プラスチック等の夾雑物などの浮遊物を除去する際に使用する浮遊物除去装置に関する。
【背景技術】
【０００２】
例えば、冷却水として海水を使用する発電プラントでは、海中へ戻される温排水によりクラゲが発生して冷却水の取水口を詰まらせ、冷却水の取水制限をせざるを得ない状況となる問題があった。このような問題を解消するために、従来次のような種々の装置が案出されている。しかしながら、充分に対応できていない。特に、最近では傘の直径が２ｍ、重さ１５０Ｋｇを越える超巨大な「エチゼンクラゲ（学名：Ｓｔｏｍｏｌｏｐｕｓ−Ｎｏｍｕｒａｉ）」の発生が漁業への深刻な影響だけでなく、発電プラント等においても問題となっている。
【０００３】
・  最終的に海中へ戻される海水の温度を低く抑え、クラゲの発生を防止する発電プラント（特許文献１参照）。
・  海水の取水口に張設された網に付着したクラゲを、海洋側へ噴出する水流により海洋側へ押し流して防止するクラゲ流入防止装置（特許文献２参照）。
・  海水に含まれるクラゲを粉砕し、その固形分を薬注処理で凝集沈澱させて分離した排水を公共用水域に排出するクラゲの処理装置（特許文献３参照）。
・  カーテンウォールと該カーテンウォールの外面に沿う沿壁流によりクラゲ貯留域に収集するクラゲ流入防止装置（特許文献４参照）。
・  クラゲ侵入防止ネットに可動カーテン部を設けて取水用の開口量を確保するクラゲ流入防止装置（特許文献５参照）。
・  クラゲをはじめとする海生物やゴミを検知し、連続的且つ自動的に無人で大容量の除塵槽へ移送できるようにした海水取水設備（特許文献６参照）。
【０００４】
【特許文献１】特開平０８−３３８２０４号公報
【特許文献２】特開平１０−２４５８３４号公報
【特許文献３】特開２００４−２５５３１３号公報
【特許文献４】特開２００４−２７８１４４号公報
【特許文献５】特開２００４−２２５４８２号公報
【特許文献６】特開２００４−２３２３７９号公報
【０００５】
本発明者は、上記の問題を解決すべく上記の諸例を分析するうち、以下のごとき結論に達した。
【０００６】
すなわち、水中の邪魔な浮遊物を効率良く除くためには、
（１）浮遊物を滞りなく捕捉すること、
（２）捕捉した浮遊物を効率良く外し、スムーズに排出路へ移送すること、
の二つの動き（作業）が連動してスムーズに行われなければならない。
【０００７】
要するに、上記（１）の点のみに重きがおかれ、（２）の点が充分留意されていない装置にした場合には、浮遊物がある程度多くなると、処理しきれない浮遊物が装置内にたまり、結局装置全体の停止に追い込まれるおそれがある。してみると、上記（１）と（２）をうまく連動させた装置にすべきである。
【０００８】
なお、本出願人は、後述する、エンドレス状態で回転して浮遊物を捕捉すると共に、該捕捉浮遊物を水面より上になる位置に搬送する主除去用回転柵を特化して、先行技術を調査したが、関連する先行技術文献を見出すことができなかった。
【発明の開示】
【発明が解決しようとする課題】
【０００９】
本発明は、浮遊物を滞りなく捕捉すること、及び捕捉した浮遊物を効率良く外し、しかも捕捉した浮遊物を受け取って排出路へ送るための受け台には大型クラゲ等の水中浮遊物を細かく裁断した上で、スムーズに排出路へ移送排出することができる新規の浮遊物除去装置を提供することを目的とするものである。
【課題を解決するための手段】
【００１０】
上記目的を達成するために、本発明に係る浮遊物除去装置は、エンドレス状態の回転を行うことで大型クラゲ等の水中の浮遊物を捕捉すると共に該捕捉浮遊物を水面より上になる位置に搬送する主除去用回転柵と、該主除去用回転柵が捕捉した捕捉浮遊物を受け取ってこれを排出路に送る受け台とを備えたことを特徴する。
【００１１】
さらに、上記主除去用回転柵と協働で捕捉浮遊物を持ち上げて受け台の上に移し載せる補助持ち上げ装置を備えた構成としたり、除去用回転柵に引っ掛かったまま外れずに受け台より上に上がってしまった捕捉浮遊物を受け台上に落す水噴射装置を備えた構成にしたり、受け台に捕捉浮遊物の細断用水噴射装置を設けた構成としてもよい。
【００１２】
また、上記細断用の水噴射装置は、細断用水の噴射と停止を制御するよう設定された制御手段を備え、細断用水の噴射面が複数の区画に区分されていて、細断用水の噴射と停止を制御する制御手段が上記の区分された単一もしくは複数の区画を制御単位として細断用水の噴射と停止を制御するように設定することができる。
【００１３】
さらに、上記の前記制御手段は、上記捕捉浮遊物の存在を感知するセンサーと、前記細断用水噴射装置へ細断用水を供給する送水路に介設された電磁弁と、前記センサーの感知信号に基づいて前記電磁弁を通電開放すると共に、事前に設定された時間の経過もしくは前記センサーの感知対象の消失をもって前記電磁弁を閉鎖するよう設定された制御回路とから構成するようにする。
【発明の効果】
【００１４】
本発明に係る浮遊物除去装置は、エンドレス状態の回転を行うことで水中の浮遊物を捕捉すると共に該捕捉浮遊物を水面より上になる位置に搬送する主除去用回転柵と、該主除去用回転柵が捕捉した捕捉浮遊物を受け取ってこれを排出路に送る受け台とを備えているので、たとえば、図１に示すように、引込み水路と取水路がＬ状に交差された個所に設備された場合には、引込み水路の海水は、主除去用回転柵内に側面から流入したのち、同柵の壁面にある目（孔）を介して取水路に送水され、そして該送水中には、流水圧により海水の中の浮遊物は、流水圧による押し付け力により主除去用回転柵の壁面内側に引っ掛って捕捉されると共に該捕捉浮遊物は、主除去用回転柵の回転により水面より上になる位置に搬送され、受け台を介して排出路に送られるから浮遊物除去を効率よくできることは勿論であるが、特に、主除去用回転柵に引っ掛かった捕捉浮遊物により所謂目詰まりが起きて取水路への送水が滞ることがなく、発電所や工場等に安定した送水ができる。
【００１５】
さらに、主除去用回転柵と協働で捕捉浮遊物を持ち上げて受け台の上に移し載せる補助持ち上げ装置が備えられているので、主除去用回転柵により捕捉された捕捉浮遊物は、受け台の高さまで確実に持ち上げることができるから、受け台には捕捉浮遊物を効率よく移送することができる。
【００１６】
また、除去用回転柵に引っ掛かったまま外れずに受け台より上に上がってしまった捕捉浮遊物を受け台上に落す水噴射装置を備えているので、受け台には、主除去用回転柵により捕捉された捕捉浮遊物をより効率よく移し載せることができる。
【００１７】
また、受け台には、捕捉浮遊物の細断用の水噴射装置が設けられているので、大型のクラゲのような捕捉浮遊物の除去処理も効率的かつ容易に行うことができる。
【００１８】
しかも、この細断用の水噴射装置は、細断用水の噴射と停止を制御するよう設定された制御手段を備え、細断用水の噴射面が複数の区画に区分されていて、細断用水の噴射と停止を制御する制御手段が上記の区分された単一もしくは複数の区画を制御単位として細断用水の噴射と停止を制御できるように設定しておき、該制御手段として、例えば上記捕捉浮遊物の存在を感知するセンサーと、上記細断用水噴射装置へ細断用水を供給する送水路に介設された電磁弁と、上記センサーの感知信号に基づいて上記電磁弁を通電開放すると共に事前に設定された時間の経過もしくは上記センサーの感知対象の消失をもって前記電磁弁を閉鎖するよう設定された制御回路とを備えていれば、上記センサーが捕捉浮遊物を感知したときに、設定された所定区画内の細断用水噴射パネルだけから細断用水を高圧噴射させることができるので、不必要な部分からの細断用の水噴射がなくなり、効果的であり、コスト的にも経済的となる。
【発明を実施するための最良の形態】
【００１９】
以下、本発明の実施の形態に係る浮遊物除去装置を図１〜図３に基づいて説明する。なお、図１は全体の概略を示す平面図であり、図２は同じく側面図であり、図３は受け台の要部を示す概念図である。
【００２０】
この実施の形態に係る浮遊物除去装置は、運転装置１によりエンドレスの回転を行うことで水中の浮遊物３ａを捕捉すると共に該捕捉浮遊物３ｂを水面より上になる位置に搬送する短い筒状の主除去用回転柵２と、該主除去用回転柵２が除去した捕捉浮遊物３ｂを受け取ってこれを排出路４に送る受け台５と、上記主除去用回転柵２と協働で捕捉浮遊物３ｂを持ち上げて受け台５の上に移し載せる補助持ち上げ装置６とを備えている。なお、補助持ち上げ装置６は、主除去用回転柵２と同じ速度及び方向で作動するエンドレスの連続体にしてある。
【００２１】
そして、上記実施の形態に係る浮遊物除去装置は、冷却用水として海から海水を引き込む引込み水路７と発電所（工場）に導入する取水路８がＬ状に交差された個所に設備されている。従って、引込み水路７の海水は、主除去用回転柵２内に側面から流入したのち、同柵２の壁面にある目（孔）を介して取水用路８に送水される。
【００２２】
上記の送水中には、海水の中の浮遊物３ａは、流水圧による押し付け力により主除去用回転柵２の壁面内側に引っ掛って捕捉されると共に該捕捉浮遊物３ｂは、主除去用回転柵２の回転により水面より上になる位置に搬送される。
【００２３】
なお、水面より上になる位置に搬送する場合には、主除去用回転柵２を動かすだけでは、次のような問題が往々にして起きることがある。
【００２４】
すなわち、主除去用回転柵２の回転により水面に到達した捕捉浮遊物３ｂの中には、弱い力で捕捉されているものも多く、水面の波立ちや外気との接触等により所謂バラケを起して積み重なりの塊り状態を呈し且つ主除去用回転柵２の壁面に纏まり付く状態を呈して水面上に空転の状態で浮き留まることになるものも少なく無い。この浮き留まったものが多くなると、該浮き留まったものが、主除去用回転柵２の壁面に強い力で捕捉されている捕捉浮遊物３ｂを掻き取り落とすことにもなるので好ましくなく、さらに進行すると装置が機能不全を惹起することにもなり兼ねない。
【００２５】
そこで、上記実施の形態に係る浮遊物除去装置は、上記機能不全を惹起し兼ねない問題を補助持ち上げ装置６を設けて解決するようにしてある。
【００２６】
すなわち、該実施の形態に係る浮遊物除去装置は、主除去用回転柵２と同じ方向及び同じ速度で回転する補助持ち上げ装置６を、図示のごとく主除去用回転柵２に対設し、そして該補助持ち上げ装置６と主除去用回転柵２との協働で上記の浮き留まった捕捉浮遊物３ｂ及びその近接水面の浮遊物３ｃを前後より挟み込んで持ち上げて、受け台５の上に移し載せるようにした。
【００２７】
なお、上記の除去用回転柵２は、海水の通過は許容するが、同海水の中の浮遊物３ａは水流圧により捕捉するものであればよく、例えばメッシュベルト材による構成、ネットの縁を無端条部材に止着した構成、ネットを枠に張った小部材、丸孔や長孔等の孔開き板を枠に張った小部材、多数本の棒を枠に所定間隔で渡し設けた小部材等を所要個数までキャタピラー状に連結してエンドレスにされた構成、その他の構成にされたものを適宜使用することができる。
【００２８】
また、上記の受け台５は、適当な支持架台（図示せず）により水面の上方に傾斜した状態で支持され、上記除去用回転柵２及び補助持ち上げ装置６の協働作業により受け取った捕捉浮遊物３ｂを上記傾斜により排出路４に移送する。なお、この受け台５は、浮力で適切な位置を保つようにしてもよい。
【００２９】
さらに、上記の除去用回転柵２は、水底より水面に向かう方向に移動する部分２ｂを下流側に倒れた傾斜状態で進行する構成にすることにより、水面に近いところに水中浮遊物３ａが集まり易いようにし、これにより上記の持ち上げ機能をより良い状態にするようにしてある。
【００３０】
また、上記除去用回転柵２の上方部分２ａには、捕捉浮遊物３ｂが除去用回転柵２に引っ掛かったまま外れずに受け台５より上に上がってしまう場合に備えて、捕捉浮遊物３ｂを受け台５上に落ち易くする水噴射装置９が設けられ、水の力で捕捉浮遊物３ｂを外して落すようにしてある。
【００３１】
さらに、上記実施の形態に係る浮遊物除去装置は、受け台５の上に移送された捕捉浮遊物３ｂを基本的には該受け台５の傾斜を利用して水流で押し流す方法を採用しているが、最近問題となっている「エチゼンクラゲ」等の大型クラゲにはこれだけでは充分には対処できないおそれがあるので、更に次のように構成することができる。
【００３２】
一例として説明すると、受け台５に直径１ｍｍの小孔１０を縦横１０ｃｍ間隔で多数設けて、これら各小孔１０から強い水圧（例えば３０気圧程度）で水を噴出させる。噴出方向は、図３に示すように、下流の方向に斜めに噴出させる。なお、小孔１０は丸孔に限られず、長孔状（スリット）としてもよく、またその間隔も縦横１０ｃｍより小さくあるいは大きな間隔とする変更は任意である。
【００３３】
しかして、捕獲浮遊物３ｂすなわちクラゲは、下からの強く細い水流により例えば１０ｃｍ幅に細断され、かつ細断されたクラゲ体は、斜めに噴出する同細い水流の力により容易に下流の方向に流される。すなわち、小さい孔から強い水圧で目的の方向に水を噴出させる方法をとることで、大型のクラゲを破片に細断し、かつ処理する方向に流す、という二つの処理を同時に行うことができる。
【００３４】
従って、大型のクラゲを受け台５の上まで持ち上げても、そこで積み重なるだけで処理は進まないというような事故も解消できることとなる。
【００３５】
なお、上記の小孔１０から高圧噴射される水流でクラゲを細断する細断用水噴射装置については、主除去用回転柵２が回転して受け台５に捕捉浮遊物３ｂを供給している間、常に作動させ水を噴射させておくことも妨げるものではないが、その設置の目的から考えて、受け台５の上に細断対象となる捕捉浮遊物３ｂが存在する場合にだけ、さらには捕捉浮遊物３ｂが存在する部分でだけ、細断用水を噴射するよう制御することが合理的であり効率的である。
【００３６】
図４は、このような制御の一例を模式的に示したもので、この種制御は、細断用水噴射装置の小孔１０へ細断用水を供給する送水路に電磁弁４０を介設すると共に、受け台５の表面部にクラゲなど捕捉浮遊物を感知する簡易なセンサー３０を設け、該センサー３０の感知信号に基づいて電磁弁４０を開閉するよう構成することにより、容易に実現できる。
【００３７】
例えば、センサー３０として、反射型センサーを用いる場合には、その発光または発信面を受け台５の上方へ向けて設置したセンサー３０と、該センサー３０の感知信号によって電磁弁４０を通電開放すると共に事前の設定に従って該電磁弁４０を閉鎖する制御回路５０によって、細断用水噴射の効率的な制御手段が確保できる。（図４（ａ））
【００３８】
上記の反射型センサーを用いた制御例では、センサー３０の上方に捕捉浮遊物が位置すると、センサー３０の感知信号がセンサーケーブル２３を介して制御回路５０へ送られてリレースイッチをオンの状態とし、通電ケーブル４１で制御回路５０と接続された電磁弁４０を開放すると共に、事前に設定された時間の経過もしくは感知対象の消失をもって電磁弁４０を閉鎖するので、捕捉浮遊物がセンサー３０上に位置した場合にだけ細断用の水が噴射され、捕捉浮遊物がクラゲであれば、これを効率的に細断することができる。
【００３９】
上記の制御例では、センサー３０として反射型センサーを用いたが、受け台５上に供給された捕捉浮遊物を感知できる限りセンサー３０の種類に制約はなく、例えば通過型センサー（遮り型センサーともいう）を用いる場合には、受け台５上に捕捉浮遊物の流下を妨げない程度の一対のセンサー設置部５ａを対設すると共に、該センサー設置部５ａの対向する面に通過型センサーの発光もしくは発信ユニットと受光もしくは受信ユニットを配設し、これらセンサーユニットの間に捕捉浮遊物が位置した際にセンサー３０から制御回路５０へ感知信号が送られるよう構成すれば足りる。（図４（ｂ））
【００４０】
もちろん、細断用水の噴射を制御するために、細断用水を噴射する小孔１０と制御用のセンサー３０並びに電磁弁４０の数を一対一で対応させる必要などはなく、水噴射用の小孔１０を設けた細断用水噴射装置の噴射面を適宜数の区画に区分すると共に、区分された区画ごとにセンサー３０と電磁弁４０を設置し、この区画を制御単位とすれば、噴射面上に捕捉浮遊物がある場合にだけ、捕捉浮遊物がある区画でだけ、細断用水を噴射するよう制御することが可能である。
【００４１】
図５並びに図６は、細断用水噴射装置の噴射面を所望数の区画に区分し、この区画を制御単位とする制御の一例を示したもので、図示実施形態においては、細断用水噴射パネル２１とセンサーブロック３１を組み合わせて配設することにより噴射面を構成し、細断用水を噴射する小孔１０を設けた一枚の細断用水噴射パネル２１を制御の最小単位区画としている。
【００４２】
ここで用いている細断用水噴射パネル２１は、内部に受水部２２となる中空部を有すると共に、その表面に受水部２２と連通する所定数の小孔１０を穿設した箱体であって、図５に示すように、受水部２２に連接された給水枝管２３によって細断用水の加圧供給を受けて微細な小孔１０から細断用水を高圧噴射するよう構成されており、該給水枝管２３に電磁弁４０を介設している。
【００４３】
また、センサーブロック３１は、上面にセンサー３０（反射型センサー）を設けると共に、該センサー３０にセンサーケーブル３２を接続した薄幅な箱体で、図５に示した実施形態では、その高さと奥行きを細断用水噴射パネル２１と同一に形成している。
【００４４】
図示実施形態に係る細断用水噴射装置においては、細断用水噴射パネル２１とセンサーブロック３１の適宜数を組み合わせて配設することで所望の面積の噴射面を構成することができ、図６では、４枚の細断用水噴射パネル２１と３本のセンサーブロック３１を横方向に交互に組み合わせて配設して一つの列となし、この列を縦方向に４段並べて、１６区画に区分された噴射面を形成する。
【００４５】
このように、図示実施形態においては、細断用水噴射装置の噴射面を細断用水噴射パネル２１とセンサーブロック３１の組合わにより構成しているので、個々のセンサーブロック３１が発する感知信号に基づいて電磁弁４０を開閉制御すべき細断用水噴射パネル２１の数と位置を事前に制御回路に設定しておくだけで、センサー３０が捕捉浮遊物を感知した際には、設定された区画の細断用水噴射パネルだけに細断用水を高圧噴射させることができる。
【００４６】
なお、図示実施形態では、センサー３０として反射型センサーを用いたが、通過型センサーその他のセンサーの利用も容易であり、例えば通過型センサーを用いる場合には、発光もしくは発信ユニットを突設したセンサーブロックと受光ユニット若しくは受信ユニットを突設したセンサーブロックの間に、任意の数の細断用水噴射パネル２１を配設して必要な感知距離を確保し、両センサーブロックを対向位置させればよい。
【００４７】
また、細断用水噴射パネル２１の上面の面積や小孔１０の数は全く任意に決定することができ、組み合わせるべき細断用水噴射パネル２１とセンサーブロック３１の数と組合せも同様に任意である上に、個々のセンサーブロック３１の感知信号に基づいて制御すべき細断用水噴射パネル２１の数と位置も制御回路で事前に設定しておくことができるから、細断用水噴射の制御内容は実施者の自由な選択と決定に完全に委ねられている。
【００４８】
したがって、図示実施形態の細断用水噴射装置においては、個々のセンサーブロック３１とその感知信号に基づいて制御すべき細断用水噴射パネル２１の数と位置に関する種類の異なる複数の設定を制御回路に記憶させ、受け台上に供給されたクラゲの数や分布に応じて、異なる区画パターンの細断用水噴射を選択し或いは切り替えることも可能である。
【００４９】
さらに、図示実施形態では、電磁弁４０を細断用水噴射パネル２１に連通する給水枝管２３に介設し、噴射面全体に設置する電磁弁４０の数を細断用水噴射パネル２１の上面々積の如何によって調整しているが、電磁弁４０の設置位置は細断用水噴射パネル２１へ細断用水を供給する送水路上で任意に選択できるから、その設置位置によって制御の単位区画面積を拡げ、噴射面全体の電磁弁４０の数を調整することも可能である。
【００５０】
図６に示すように、図示実施形態における細断用水の送水路は、海水を取水して加圧送水するポンプ６０の送水管６１と、細断用水噴射パネル２１とセンサーブロック３１が形成する列と対応する分配管６２と、個々の細断用水噴射パネル２１に連通された給水枝管２３によって構成されており、例えば電磁弁を給水枝管に介設することなく分配管６２だけに設ければ、４枚の細断用水噴射パネル２１で構成される列（センサーブロック３１の数は任意）が制御の最小区画単位となり、噴射面全体に設置する電磁弁４０の数を実施形態に比較して４分の１に低減することができる。
【００５１】
但し、電磁弁の設置位置と細断用水噴射パネルの間の送水距離が長くなるほど電磁弁の開放と細断用水の噴射の間にタイム・ラグが生じ、また電磁弁の設置数を少なくするほど細断用水噴射の制御パターンが制約されることになる。
【００５２】
この点で、何よりもクラゲを効果的に細断する制御パターン（細断用水噴射パターン）を選定することが重要であり、この制御パターンを前提に噴射面の全体に設けるべき電磁弁の数と設置位置を決定し、これに基づいて効率的な細断用水の送水路を配管設計することが望ましい。
【００５３】
なお、図示実施形態では、説明の便のために、細断用水噴射装置の噴射面を細断用水噴射パネル２１とセンサーブロック３１によって物理的に区画区分したが、制御区画が区分されていれば足りることは言うまでもないところである。
【００５４】
以上のように、図示実施形態に係る細断用水噴射装置は、細断水噴射パネルの面積と小孔数、細断水噴射パネルとセンサーブロックの組み合わせ、電磁バルブの設置数と設置位置、制御回路の設定内容を適宜組み合わせることによって、受け台の上に捕捉浮遊物がある場合にだけその区画部分でだけ細断用水を噴射させる効率的な制御方法を多様に選択し実施することができる。
【図面の簡単な説明】
【００５５】
【図１】本発明の実施の形態を概略で示す平面図である。
【図２】同じく側面図である。
【図３】受け台の要部を示す概念図である。
【図４】細断用水噴射装置に対する制御手段の一例を模式的に示す正面図である。
【図５】細断用水噴射装置の構成要素の一例を示す一部切り欠き斜視図である。
【図６】細断用水噴射装置の構成の一例を示す斜視図である。
【符号の説明】
【００５６】
１  運転装置
２  主除去用回転柵
２ａ  上方部分
３ａ  海水の中の浮遊物
３ｂ  捕獲浮遊物
３ｃ  近接水面の浮遊物
４  排出路
５  受け台
６  補助持ち上げ装置
７  引込み水路
８  取水路
９  水噴射装置
１０  小孔
２１  細断用水噴射パネル
２２  受水部
２３  給水枝管
３０  センサー
３１  センサーブロック
３２  センサーケーブル
４０  電磁弁
４１  通電ケーブル
５０  制御回路
６０  ポンプ
６１  送水管
６２  分配管
【図１】
2008038592.tif 000003
【図２】
2008038592.tif 000004
【図３】
2008038592.tif 000005
【図４】
2008038592.tif 000006
【図５】
2008038592.tif 000007
【図６】
2008038592.tif 000008